(57)【特許請求の範囲】
【請求項１】
所定寸法に設定され、上下に対向させて配設された横断面形状が同一である型材と前記型材の両側面に装着された複数の側面パネルと前記側面パネルにローラブロックと紙幣投入ブロックを選択的に取り付けて形成された搬送路要素を長手方向に複数個接続して形成された搬送路内に引張側が挿通された無端丸ベルトによって紙幣を搬送する紙幣搬送装置であって、
前記側面パネルは、一側に伸び、隣の側面パネルと重なる舌状片を備えており、前記型材に取り付けた際に搬送する紙幣の側面を案内することを特徴とする紙幣搬送装置。
【請求項２】
前記ローラブロックは、前記無端丸ベルトと対向配置されるとともに無端丸ベルトと間隙を有して軸支された平ローラと、前記平ローラを上下から挟むように配置されるとともに、前記無端丸ベルト方向に突出したカラー部材とを備えたことを特徴とする請求項１に記載の紙幣搬送装置。
【請求項３】
前記側面パネルは、前記型材の側面に長手方向に沿って形成された蟻溝に、上下端側部に設けられた係合突起を介して摺動可能に装着されたことを特徴とする請求項１または２に記載の紙幣搬送装置。
【請求項４】
前記ローラブロックは、前記搬送路内に検出子を伸ばした検出手段を備えたことを特徴とする請求項１〜３の何れか１に記載の紙幣搬送装置。
【請求項５】
前記側面パネルは、ロック機構を備え、前記型材の長手方向の任意の位置に固定可能であることを特徴とする請求項１〜４の何れか１に記載の紙幣搬送装置。
【請求項６】
前記ロック機構は、側面パネルに形成されたロック孔と前記型材の側面に形成された蟻溝とアングル部材とキー部材とによって構成され、前記アングル部材の長穴からロック孔を介して蟻溝に差し込んだキー部材を廻すことにより側面パネルを固定することを特徴とする請求項５に記載の紙幣搬送装置。
【請求項７】
前記ロック機構は、アングル部材の長穴からロック孔を介して蟻溝に差し込んだキー部材で側面パネルをロックしたときに、少なくともローラブロックのカバー板金と型材を、導電性のアングル部材と、前記側面パネルの上下端まで延設され、該アングル部材と接触可能に配設された導電性の係止金具とを介して電気的に導通し、紙幣搬送路の帯電を防止することを特徴とする請求項６に記載の紙幣搬送装置。
【請求項８】
前記紙幣投入ブロックは、紙幣の搬送方向に対してほぼ直角に投入された紙幣を搬送方向へ案内する案内路と、この案内路内に一部が突出するとともに、無端丸ベルトに常時接触して回転する大径ローラと、案内路の入口近傍で大径ローラと対向して配置された噛込ローラと、無端丸ベルトに対向して回転自在に設置された案内ローラから構成され、投入された紙幣を紙幣搬送路に導くことを特徴とする請求項１〜７の何れか１に記載の紙幣搬送装置。
【発明の詳細な説明】
【技術分野】
【０００１】
本発明は、遊技機等の裏面に設置して紙幣等の定型の紙片を搬送するための紙幣搬送装置に関するものである。
【背景技術】
【０００２】
従来、紙幣等の定型の紙片を搬送するための搬送装置が種々提案されている。例えば、特許第２７１５２０４号に開示された紙片の搬送装置は、丸ベルトを駆動プーリと従動プーリの間に架け渡し、搬送路内に沿って紙片を搬送するものであって、丸ベルトが接触せずに近接した状態で深く凹入できる溝部を有する一対の搬送ローラを複数連設し、丸ベルトと搬送ローラの間で紙片を撓わませることで接触させて搬送している。また、料金収集ラインは、紙幣識別機から紙幣を導入する導入部ユニットと搬送部ユニットと長さ調節部を連ねることにより、搬送方向の長さを調整可能としている（特許文献１）。
また、特開平１１−３４９１７２号公報に開示されたシート状物搬送装置にあっては、紙幣導入部の構造が案内路４と、推進ホイル６と、搬送ローラ７と、伝達ベルト８及びジャム検知器１０等から構成されている（特許文献２）。
また、特開平１１−３４９１７３号公報に開示されたシート状物搬送装置にあっては、搬送路内に配設された搬送ベルト１を搬送ローラ２ａ、２ｂによって蛇行状態で保持することにより、投入された紙幣に対して確実な狭持搬送力を得ることができるようにしてある（特許文献３）。
また、特開平１１−３４９１７４号公報に開示されたシート状物搬送装置において、導入部については特許文献２と同様に案内路１０３と、推進ホイル１０４と、搬送ローラ１０５と、伝達ベルト１０６及びジャム検知器４等から構成されている。更に、搬送路成形部材は、長さの異なる複数種類から構成され、シート状物よりも長い搬送路形成部材では複数個の搬送ローラを設け、シート状物とほぼ等しい長さの搬送路形成部材では１個の搬送ローラを設け、シート状物よりも短い搬送路形成部材では搬送ローラを設けず、これらを任意に組合わせて各種の長さに対応している（特許文献４）。
【特許文献１】特許第２７１５２０４号公報
【特許文献２】特開平１１−３４９１７２号公報
【特許文献３】特開平１１−３４９１７３号公報
【特許文献４】特開平１１−３４９１７４号公報
【発明の開示】
【発明が解決しようとする課題】
【０００３】
しかし、従来の特許文献１に示す紙片の搬送装置にあっては、導入部ユニットと搬送部ユニットと長さ調節部を必要に応じて順次数珠繋ぎにして組立てゆくものであった。このため、玉貸機の位置によっては紙幣導入ユニットの配置が制限を受けるという問題が存在した。また、搬送装置を構成するために、少なくとも種類の異なる三種の導入部ユニットと搬送部ユニットと長さ調節部を用意しておかなければならず、製品の管理が煩雑であるとともに、コストが嵩む欠点が存在した。
【０００４】
また、特許文献２に開示されたシート状物搬送装置にあっては、紙幣導入部の構造が複雑になると云う欠点が存在した。更に、ジャム検知器の位置が固定的である。
【０００５】
また、特許文献３に開示されたシート状物搬送装置にあっては、搬送ベルト１と搬送ローラ２ａ、２ｂが常に接触しており、摩耗によって耐用寿命が短くなる欠点が存在した。
【０００６】
また、特許文献４に開示されたシート状物搬送装置にあっては、任意の長さに対応できるものの、部品点数が増大すると云う欠点が存在した。更に、上レールと下レールの形状も異なっており、代替え使用することができない。また、ジャム検知器が全ての紙幣導入部に取り付けられており、設計上の自由度が小さい。
【０００７】
更に、遊技機の幅は関東と関西では異なるものの、個々の幅は一定である。ところが、遊技機を設置する島設備の場合、遊技者の利便性を向上させる為にスペースを広く設置したり、島設備内の研磨リフト等の設置の都合や、島設備の両サイドで紙幣導入ユニットの位置を一致させようとすると紙幣搬送路における各ユニットの配置が制限されることがあった。
本発明は、これらの課題を解決することを目的とする。
【課題を解決するための手段】
【０００８】
前記目的を達成するために、請求項１に記載の発明は、所定寸法に設定され、上下に対向させて配設された横断面形状が同一である型材と前記型材の両側面に装着された複数の側面パネルと前記側面パネルにローラブロックと紙幣投入ブロックを選択的に取り付けて形成された搬送路要素を長手方向に複数個接続して形成された搬送路内に引張側が挿通された無端丸ベルトによって紙幣を搬送する紙幣搬送装置であって、前記側面パネルは、一側に伸び、隣の側面パネルと重なる舌状片を備えており、前記型材に取り付けた際に搬送する紙幣の側面を案内することを特徴としている。
【０００９】
また、請求項２に記載の発明において、前記ローラブロックは前記無端丸ベルトと対向配置されるととに無端丸ベルトと間隙を有して軸支された平ローラと、前記平ローラを上下から挟むように配置されるとともに、前記無端丸ベルト方向に突出したカラー部材とを備えたことを特徴とするものである。
【００１０】
また、請求項３に記載の発明において、前記側面パネルは、前記型材の側面に長手方向に沿って形成された蟻溝に、上下端側部に設けられた係合突起を介して摺動可能に装着されたことを特徴とするものである。
【００１１】
また、請求項４に記載の発明において、前記ローラブロックは、前記搬送路内に検出子を伸ばした検出手段を備えたことを特徴とするものである。
【００１２】
また、請求項５に記載の発明において、前記側面パネルは、ロック機構を備え、前記型材の長手方向の任意の位置に固定可能であることを特徴とするものである。
【００１３】
また、請求項６に記載の発明において、前記ロック機構は、側面パネルに形成されたロック孔と前記型材の側面に形成された蟻溝とアングル部材とキー部材とによって構成され、前記アングル部材の長穴からロック孔を介して蟻溝に差し込んだキー部材を廻すことにより側面パネルを固定することを特徴とするものである。
【００１４】
また、請求項７において、前記ロック機構は、アングル部材の長穴からロック孔を介して蟻溝に差し込んだキー部材で側面パネルをロックしたときに、少なくともローラブロックのカバー板金と型材を、導電性のアングル部材と、前記側面パネルの上下端まで延設され、該アングル部材と接触可能に配設された導電性の係止金具とを介して電気的に導通し、紙幣搬送路の帯電を防止することを特徴とするものである。
【００１５】
また、請求項８に記載の発明において、前記紙幣投入ブロックは、紙幣の搬送方向に対してほぼ直角に投入された紙幣を搬送方向へ案内する案内路と、この案内路内に一部が突出するとともに、無端丸ベルトに常時接触して回転する大径ローラと、案内路の入口近傍で大径ローラと対向して配置された噛込ローラと、無端丸ベルトに対向して回転自在に設置された案内ローラから構成され、投入された紙幣を紙幣搬送路に導くことを特徴とするものである。
【発明の効果】
【００１６】
この発明は前記した構成からなるので、以下に説明するような効果を奏することができる。
【００１７】
請求項１に記載の発明では、所定寸法に設定され、上下に対向させて配設された横断面形状が同一である型材と前記型材の両側面に装着された複数の側面パネルと前記側面パネルにローラブロックと紙幣投入ブロックを選択的に取り付けて形成された搬送路要素を長手方向に複数個接続して形成された搬送路内に引張側が挿通された無端丸ベルトによって紙幣を搬送する紙幣搬送装置であって、前記側面パネルは、一側に伸び、隣の側面パネルと重なる舌状片を備えており、前記型材に取り付けた際に搬送する紙幣の側面を案内するので、紙幣投入ブロックを任意の側面パネルに取り付けることができる。また、側面パネル自体の位置を微調整することができる。したがって、島設備において玉貸機の位置を自由に設定することができる。また、少ない部品点数で紙幣搬送路を構成できるので、在庫管理が容易であるとともに、コストの削減を達成できる。
【００１８】
また、請求項２に記載の発明において、前記ローラブロックは前記無端丸ベルトと対向配置されるとともに無端丸ベルトと間隙を有して軸支された平ローラと、前記平ローラを上下から挟むように配置されるとともに、前記無端丸ベルト方向に突出したカラー部材とを備えたので、両者の接触の機会が少なく、摩耗し難くなり、耐用寿命を延長することができる。また、紙幣が重送された場合に摩擦抵抗として作用し、重なりを緩和して搬送することができる。
【００１９】
また、請求項３に記載の発明において、前記側面パネルは、前記型材の側面に長手方向に沿って形成された蟻溝に、上下端側部に設けられた係合突起を介して摺動可能に装着されたので、型材に装着する側面パネルの位置を微妙に調整することができ、側面パネルに設置する紙幣投入ブロックの取り付け位置を紙幣搬送方向に対して微調整できる。
【００２０】
また、請求項４に記載の発明において、前記ローラブロックは、前記搬送路内に検出子を伸ばした検出手段を備えたので、搬送路内に紙幣が詰まった場合に即座に検出することができる。また、検出手段を任意の位置に設置することができ、設計上の自由度を高めることができる。
【００２１】
また、請求項５に記載の発明において、前記側面パネルは、ロック機構を備え、前記型材の長手方向の任意の位置に固定可能であるので、型材に対して側面パネルが固定されることにより、紙幣搬送路自体の構造を一層強固にすることができる。
【００２２】
また、請求項６に記載の発明において、前記ロック機構は、側面パネルに形成されたロック孔と前記型材の側面に形成された蟻溝とアングル部材とキー部材とによって構成され、前記アングル部材の長穴からロック孔を介して蟻溝に差し込んだキー部材を廻すことにより側面パネルを固定するので、ドライバー等の工具を必要とすることなく、側面パネルを固定することができる。また、紙幣等が詰まった際に、このロック機構を緩めることにより、容易に側面パネルを取り外して点検することができる。
【００２３】
また、請求項７において、前記ロック機構は、アングル部材の長穴からロック孔を介して蟻溝に差し込んだキー部材で側面パネルをロックしたときに、少なくともローラブロックのカバー板金と型材を、導電性のアングル部材と、前記側面パネルの上下端まで延設され、該アングル部材と接触可能に配設された導電性の係止金具とを介して電気的に導通し、紙幣搬送路の帯電を防止するので、側面パネルやローラ等の静電気の発生し易い樹脂製品から帯電を防止して、紙幣搬送路に紙幣が静電吸着されるのを未然に防止できる。したがって、紙幣詰まり等の不具合を解消することができる。
【００２４】
また、請求項８に記載の発明において、前記紙幣投入ブロックは、紙幣の搬送方向に対してほぼ直角に投入された紙幣を搬送方向へ案内する案内路と、この案内路内に一部が突出するとともに、無端丸ベルトに常時接触して回転する大径ローラと、案内路の入口近傍で大径ローラと対向して配置された噛込ローラと、無端丸ベルトに対向して回転自在に設置された案内ローラから構成され、投入された紙幣を紙幣搬送路に導くので、紙幣を確実に紙幣搬送路に導くことができる。
【発明を実施するための最良の形態】
【００２５】
本発明は、上下に配設された所定寸法の型材とこの型材の両側面に装着された複数の側面パネルとこの側面パネルにローラブロックと紙幣投入ブロックを選択的に取り付けて搬送路を構成したので、紙幣投入ブロックを任意の側面パネルに取り付けることができ、玉貸機の位置を自由に設定することができる。また、少ない部品点数で紙幣搬送路を構成できるので、在庫管理が容易であるとともに、コストの削減を達成できる。
【実施例１】
【００２６】
以下、一実施の形態を示す図面に基づいて本発明を詳細に説明する。図１は、本発明に係る紙幣搬送装置の一実施例を示す斜視図である。紙幣搬送装置１０は、遊技機１１と玉貸機１２が交合に配置された島設備の内側に配設され、玉貸機１２に接続された紙幣導入ユニットから導入された紙幣を図外の紙幣回収装置に向かって搬送する。無端丸ベルト１９は、駆動プーリＡと従動プーリＢとの間に架け渡されており、引張側が搬送路１８内に挿通され、戻り側が型材１３の下端に支持ローラＣで支持されつつ挿通される。
【００２７】
図２は、本発明の紙幣搬送装置を示す分解斜視図、図３は本発明の紙幣搬送装置を示す平面図、図４は本発明の紙幣搬送装置を示す側面図である。ここで、紙幣搬送装置１０は、所定寸法に設定され、中央下端に隔壁１３ａの垂設された型材１３と前記型材１３の両側面に装着された複数の側面パネル１４と前記側面パネル１４にローラブロック１５と紙幣投入ブロック１６を選択的に取り付けて形成された搬送路要素１７を長手方向に複数個接続して形成された搬送路１８内に引張側が挿通された無端丸ベルト１９によって紙幣を搬送するものであって、前記ローラブロック１５は前記無端丸ベルト１９と対向配置されるとともに無端丸ベルト１９と間隙を有して軸支された平ローラ２０と、前記平ローラ２０の上下に配置され無端丸ベルト方向に突出したカラー部材２１とを備えている。また、型材１３の端部は、固定金具４０によってビス４１で固定される。このようにして構成された搬送路要素１７を長手方向に複数個接続して搬送路１８を形成する。なお、図２、３において型材１３の左右で側面パネル１４がそれぞれ対向配置された例を示しているが、これに限ることなく、対向してなくともよい。
【００２８】
図５は、本発明の紙幣搬送装置における型材１３と側面パネル１４との関係を示す斜視図である。型材１３の側面には、長手方向に沿って蟻溝２２が形成されている。蟻溝２２は、開口部が狭く奥端が断面ほぼ長方形に拡開している。また、中央下端に隔壁１３ａが形成されている。型材１３の上面には、凹溝１３ｂが部材の長手方向に沿って形成されている。このように横断面形状が同一に構成された型材１３は、上下に隔壁１３ａが向かい合うように、対称に配置される。
【００２９】
側面パネル１４は、図５〜図９等に示すように上下端の側部に係合突起２３が設けられている。本実施例では、係合突起２３は、上端に２箇所、下端に２箇所設けられている。係合突起２３は、左右の案内突起２３ａと中央の係止フック２３ｂとから構成されており、型材１３の蟻溝２２に側面から係合可能に形成されている。また、蟻溝２２に係合された係合突起２３は、蟻溝内を長手方向に移動可能であり、結果として側面パネル１４は、係合突起２３によって摺動可能に型材１３に装着される。
【００３０】
また、側面パネル１４は、型材１３に取り付けた際に蟻溝２２に対応した位置にロック機構を差し込むためのロック孔２４が形成されている。側面パネル１４は、一側に伸び、隣の側面パネルと重なる舌状片２５を備えており、型材１３に取り付けた際に搬送する紙幣の側面を案内する。更に、側面パネル１４は、一端部に係止爪２６を他端に回動軸２７及び係止金具２８を備えた開口部２９を有している。この開口部２９には、ローラブロック１５と紙幣投入ブロック１６を係止爪２６等を介して選択的に取り付けることができる。係止金具２８は、側面パネル１４の上下端まで延設されており、後述する導電性のアングル部材３７と接触可能に配設されている。
【００３１】
図１０は、本発明の側面パネルにローラブロック１５を取り付けた場合の斜視図、図１１はそれを裏面から見た斜視図である。ローラブロック１５は、無端丸ベルト１９と対向配置されるとともに無端丸ベルト１９と間隙を有して軸支された平ローラ２０と、この平ローラ２０の上下に配置され無端丸ベルト方向に突出したカラー部材２１を少なくとも１組備えている。本実施例では、断面が略Ｕ字形をしたカラー部材２１が平ローラ２０を挟むように支持されている。ローラブロック１５は、紙幣の搬送方向に沿って２個の平ローラ２０を備えており、ローラ軸２０ａで回動可能に支持されている。なお、ローラ軸２０ａは、平ローラ２０が無端丸ベルト１９と接触しない範囲で図外のバネによって、無端丸ベルト１９方向へ付勢するのが望ましい。また、カラー部材も同様に図外のバネによってベルト側に付勢するのが望ましい。また、ローラブロック１５は、平ローラ２０の上下に板状部１５ａを備えており、側面パネル１４の開口部２９を覆うことができる。更に、ローラブロック１５の外側は、カバー板金１５ｂで覆われており、カバー板金１５ｂは側面パネル１４にビス止めされた係止金具２８と電気的に導通している。
【００３２】
また、任意のローラブロック１５に、搬送路内に検出子３５ａを延ばした検出手段３５を取り付ける。検出手段３５は、例えば、リミットスイッチ等を使用することができる。
【００３３】
このように構成されたローラブロック１５は、側面パネル１４に一端が回動軸２７により、他端が係止爪２６により開閉可能に取り付けられる。また、ローラブロック１５と無端丸ベルト１９との関係は、図１２に示すように無端丸ベルト１９の両側に平ローラ２０が接触することなく所定の間隔を有して回動可能に配設されており、カラー部材２１は、平ローラ２０の上下にさらに無端丸ベルト１９を囲むように突出している。カラー部材２１は、無端丸ベルト１９に接触することはない。したがって、搬送路１８内を紙幣が搬送される場合、カラー部材２１と無端丸ベルト１９によって撓んだ紙幣は、無端丸ベルト１９と平ローラ２０によって上流から下流に向かって搬送される。この時、カラー部材２１は平ローラ２０と共にベルト方向へバネ付勢されているので、紙幣が複数枚重なって搬送された場合でも、スムーズに搬送することができる。また、無端丸ベルト１９は、平ローラ２０と接触する機会が少なく、摩耗し難くなり、耐用寿命を延長することができる。無端丸ベルト１９の戻り側は、下端に位置する型材１３の凹溝１３ｂに配置され、支持ローラＣで支持されている。
【００３４】
図１３は、本発明の紙幣搬送装置の紙幣投入ブロック１６を示す平面図、図１４は、同紙幣投入ブロックを示す正面図である。紙幣投入ブロック１６は、側面パネル１４の開口部２９に、係止金具２８と係止爪２６によって着脱可能に構成されている。紙幣投入ブロック１６は、紙幣の搬送方向に対してほぼ直角に投入された紙幣を搬送方向へ案内する案内路３１と、この案内路３１内に一部が突出するとともに、無端丸ベルト１９に常時接触して回転する大径ローラ３２と、案内路３１の入口近傍で大径ローラ３２と対向して配置された噛込ローラ３３と、無端丸ベルト１９に対向して回転自在に設置された案内ローラ３４等から構成されている。また、大径ローラ３２は、バネ３２ａによって無端丸ベルト１９の方向に付勢されており、バネ３２ａの付勢力に抗して後退することができる。案内ローラ３４も同様にバネ３４ａによって無端丸ベルト１９の方向に付勢されている。
【００３５】
図１５は、本発明の紙幣搬送装置における側面パネルの固定機構を示す説明図である。型材１３の側面に係合された側面パネル１４は、ロック機構３６によって、型材１３に対して固定することができる。ここに示すロック機構３６は、長穴３７ａを有する導電性のアングル部材３７とビス３８とから成り、ビス３８を長穴から側面パネル１４に形成されたビス受け１４ａに螺合することによって型材１３と側面パネル１４を固定できる。このように構成した場合、紙幣搬送路を強固なものとすることができる。また、取り外す場合にも、ビス３８を緩めるのみで容易に取り外すことができる。
【００３６】
図１６は、本発明の側面パネルの固定機構の別の実施例を示す説明図である。本実施例において、ロック機構３６は、長穴３７ａを有するアングル部材３７とキー部材３９とから成り、キー部材の先端３９ａを長穴から側面パネルの蟻溝２２に挿入し、廻すことによって型材１３と側面パネル１４を固定できる。キー部材の先端３９ａは、図１７〜１９に示すように蟻溝２２を通過可能な短軸部Ｈ１と蟻溝２２の拡開した奥端とほぼ等しい長軸部Ｈ２を有している。また、指で摘んで廻す為の摘み部３９ｂを有している。
【００３７】
このように構成した場合、キー部材の先端３９ａの短軸部Ｈ１を蟻溝２２に差し込んで廻すと、長軸部Ｈ２が拡開した奥端に係合して、側面パネル１４を固定することができる。したがって、側面パネル１４と型材１３が固定され紙幣搬送路を強固なものとすることができる。また、取り外す場合にも、キー部材３９を緩めるのみで工具を必要とすることなく容易に取り外すことができる。
【００３８】
また、ロック機構３６は、側面パネル１４に形成されたロック孔２４と型材１３の側面に形成された蟻溝２２と導電性のアングル部材３７とキー部材３９とによって構成され、導電性のアングル部材３７の長穴３７ａからロック孔２４を介して蟻溝２２に差し込んだキー部材３９で側面パネル１４を固定することにより、前記導電性のアングル部材３７と側面パネル１４に取り付けられた係止金具２８とローラブロック１５のカバー板金１５ｂとを導通させ、紙幣搬送路の帯電を防止するので、側面パネル１４やローラ等の静電気の発生し易い樹脂製品から帯電を防止して、紙幣搬送路に紙幣が静電吸着されるのを未然に防止できる。つまり、ローラ等を覆うカバー板金１５ｂを係止金具２８、アングル部材３７、型材１３を介して接地することで徐電し、紙幣詰まり等の不具合を解消することができる。
【００３９】
次に、以上のように構成された本発明に係る紙幣搬送装置１０の動作態様について説明する。先ず、遊技機等の島設備に紙幣搬送路を設置する際に、図２〜図４に示すように型材１３を所定間隔で上下に配置して固定金具４０でビス止めする。次に、型材１３の両側から側面パネル１４を複数個、取り付ける。側面パネル１４は、図５に示すように係合突起２３を型材１３の蟻溝２２に挿入することにより取り付ける。側面パネル１４は、側面から直接取り付けることができる。また、取り付けた側面パネル１４は、蟻溝２２に沿って長手方向に摺動可能である。側面パネル１４の側方に突出した舌状片２５は、隣の側面パネル１４の下に重なるように構成されている。したがって、形成される紙幣搬送路の紙幣側に舌状片２５が位置することとなる。側面パネル１４は、この舌状片２５が重なり合う範囲である程度の自由度をもって組立てることができる。
【００４０】
側面パネル１４には、図１０、１１に示すようにローラブロック１５或いは図１３、１４に示すように紙幣投入ブロック１６を側方から取り付けることができる。本発明では、遊技機と遊技機の間に設備される玉貸機の紙幣識別機から紙幣を導入する紙幣投入ブロック１６の紙幣搬送方向の位置は、側面パネル１４を選択することにより自由に選ぶことができる。また、側面パネル１４を横方向に微調整することで更に微調整できる。
【００４１】
また、微調整の済んだ側面パネル１４は、ロック機構３６によって型材１３に確実に固定することができる。ロック機構３６は、図１５または図１６に示すような構造で実現することができる。特に、図１６〜図１９に示すキー部材３９を使用した場合には、工具を使用することなくアングル部材３７の固定または解除ができる。なお、以上の実施例は、玉貸機の一例を示したが、メダル貸し機を含む種々のユニットに適用できることはもちろん、排出された紙幣を搬送する装置であれば、上記実施例に限定されることなく、特許請求の範囲の記載に基づいて種々の設計変更が可能である。
【図面の簡単な説明】
【００４２】
【図１】図１は、本発明に係る紙幣搬送装置の一実施例を示す斜視図である。
【図２】図２は、同紙幣搬送装置を示す分解斜視図である。
【図３】図３は、同紙幣搬送装置を示す平面図である。
【図４】図４は、同紙幣搬送装置を示す側面図である。
【図５】図５は、同紙幣搬送装置における型材と側面パネルとの関係を示す斜視図である。
【図６】図６は、同紙幣搬送装置における側面パネルの正面図である。
【図７】図７は、同側面パネルの平面図である。
【図８】図８は、同側面パネルの左側面図である。
【図９】図９は、同側面パネルの右側面図である。
【図１０】図１０は、同側面パネルにローラブロックを取り付けた場合の斜視図である。
【図１１】図１１は、同側面パネルにローラブロックを取り付けた場合の裏面から見た斜視図である。
【図１２】図１２は、同紙幣搬送装置のローラブロック部の縦断面図である。
【図１３】図１３は、同紙幣搬送装置の紙幣投入ブロックを示す平面図である。
【図１４】図１４は、同紙幣投入ブロックを示す正面図である。
【図１５】図１５は、同紙幣搬送装置における側面パネルの固定機構を示す説明図である。
【図１６】図１６は、同側面パネルの固定機構の別の実施例を示す説明図である。
【図１７】図１７は、同固定機構のキー部材を示す平面図である。
【図１８】図１８は、同固定機構のキー部材を示す側面図である。
【図１９】図１９は、同固定機構のキー部材を示す正面図である。
【符号の説明】
【００４３】
１０      紙幣搬送装置
１１      遊技機
１２      玉貸機
１３      型材
１４      側面パネル
１４ａ    ビス受け
１５      ローラブロック
１５ａ    板状部
１５ｂ    カバー板金
１６      紙幣投入ブロック
１７      搬送路要素
１８      搬送路
１９      無端丸ベルト
２０      平ローラ
２１      カラー部材
２２      蟻溝
２３      係合突起
２４      ロック孔
２５      舌状片
２６      係止爪
２７      回動軸
２８      係止金具
２９      開口部
３１      案内路
３２      大径ローラ
３３      噛込ローラ
３４      案内ローラ
３５      検出手段
３６      ロック機構
３７      アングル部材
３８      ビス
３９      キー部材
３９ａ    先端
３９ｂ    摘み部
４０      固定金具
４１      ビス
【図１】
0004931735.tif 000002
【図２】
0004931735.tif 000003
【図３】
0004931735.tif 000004
【図４】
0004931735.tif 000005
【図５】
0004931735.tif 000006
【図６】
0004931735.tif 000007
【図７】
0004931735.tif 000008
【図８】
0004931735.tif 000009
【図９】
0004931735.tif 000010
【図１０】
0004931735.tif 000011
【図１１】
0004931735.tif 000012
【図１２】
0004931735.tif 000013
【図１３】
0004931735.tif 000014
【図１４】
0004931735.tif 000015
【図１５】
0004931735.tif 000016
【図１６】
0004931735.tif 000017
【図１７】
0004931735.tif 000018
【図１８】
0004931735.tif 000019
【図１９】
0004931735.tif 000020